(57)【要約】【課題】部材数が少なくて構造が簡単な、また、非作業時には作業台を昇降路のピット床に載置させることができるエレベーターのピット内作業装置の提供。【解決手段】本発明は、昇降路１内に配置された乗りかご２を上下方向に案内するかご側ガイドレール４に固定されたかご側固定部１０と、かご側固定部１０に支持された作業台６とを備えたエレベーターのピット内作業装置であって、上端側７ａが乗りかご２に係合し、下端側７ｂが作業台６に係合し、乗りかご２の上昇に伴って作業台６を引き上げる棒体７と、棒体７と乗りかご２とを係合させるかご側係合部８、及び棒体７と作業台６とを係合させる作業台側係合部９とを備え、かご側固定部１０は、当該かご側固定部１０の下方から上昇する作業台６に押圧されて後退し、作業台６の通過後に突出して作業台６を支持する出入部材１０ｂを有している。【選択図】図１
2017171455.tif 000002
【特許請求の範囲】
【請求項１】
昇降路内に配置されたガイドレールに固定された固定部と、前記固定部に支持された作業台とを備えたエレベーターのピット内作業装置にあって、
上端側が乗りかごに係合し下端側が前記作業台に係合し、前記作業台を水平に保った状態で前記乗りかごの上昇に伴って前記作業台を引き上げる牽引体と、
前記牽引体と前記乗りかごとを係合させるかご側係合部、及び前記牽引体と前記作業台とを係合させる作業台側係合部とを備え、
前記固定部は、当該固定部の下方から上昇する前記作業台に押圧されて後退し、前記作業台の通過後に突出して前記作業台を支持する出入部材を有することを特徴とするエレベーターのピット内作業装置。
【請求項２】
請求項１に記載のエレベーターのピット内作業装置であって、
前記牽引体は、上下方向に伸長する棒体から成り、
前記作業台は、前記乗りかごの落下時の衝撃を緩和させるバッファが挿通する第１穴と前記棒体が挿通する第２穴とを有し、
前記乗りかごの下部を形成するベース部材は、前記棒体が挿通する第３穴を有し、
前記かご側係合部は、前記棒体の上側部分と前記乗りかごの前記ベース部材とを係合させるものから成ることを特徴とするエレベーターのピット内作業装置。
【請求項３】
請求項２に記載のエレベーターのピット内作業装置であって、
前記棒体は、内部が中空のパイプ材から成り、
前記かご側係合部は、前記棒体の内部に収納された第１ばねと、前記第１ばねに付勢されて前記棒体に設けられた穴部から突出して前記ベース部材に支持され、前記第１ばねが押し込まれることにより当該かご側係合部が前記ベース部材の前記第３穴を挿通可能となる位置に変位する第１突出部とを有し、
前記作業台側係合部は、前記棒体の内部に収納された第２ばねと、前記第２ばねに付勢されて前記棒体に設けられた穴部から突出して前記作業台を支持し、前記第２ばねが押し込まれることにより当該作業台側係合部が前記作業台の前記第２穴を挿通可能となる位置に変位する第２突出部とを有したことを特徴とするエレベーターのピット内作業装置。
【請求項４】
請求項３に記載のエレベーターのピット内作業装置であって、
前記かご側係合部は、前記棒体に設けられた穴部から前記乗りかごの前記ベース部材の方向に突出し、前記ベース部材による前記第１突出部の支持を解除するように前記第１突出部を移動させることが可能な第１操作部を有し、
前記作業台側係合部は、前記棒体に設けられた穴部から前記作業台の方向に突出し、前記第２突出部による前記作業台の支持を解除するように前記第２突出部を移動させることが可能な第２操作部を有することを特徴とするエレベーターのピット内作業装置。
【請求項５】
請求項１に記載のエレベーターのピット内作業装置において、
前記固定部は、前記乗りかごを案内するかご側ガイドレールに固定される本体を有するかご側固定部から成り、
前記出入部材は、前記本体に設けられた作業台側穴部から前記作業台の方向に突出する部材から成り、
前記かご側固定部は、前記本体の内部に収納され、前記出入部材を前記作業台側穴部から突出するように付勢する第３ばねを有することを特徴とするエレベーターのピット内作業装置。
【請求項６】
請求項５に記載のエレベーターのピット内作業装置において、
前記出入部材は、後退した際に前記作業台側穴部の反対側の前記本体の壁に形成された開口部から突出するものから成り、
前記かご側固定部は、一端が前記出入部材に連結され、他端が前記本体の前記開口部が形成された壁に設けられた穴部に移動可能に挿通し、前記第３ばねが係着されたねじ棒と、
前記開口部が形成された前記本体の壁の穴部から突出した前記ねじ棒の部分に螺合するナットとを有することを特徴とするエレベーターのピット内作業装置。
【請求項７】
請求項５に記載のエレベーターのピット内作業装置において、
前記かご側固定部の前記本体は、前記出入部材の上方位置に、前記出入部材を通過した後の前記作業台の上昇を規制するストッパーを有することを特徴とするエレベーターのピット内作業装置。
【請求項８】
請求項５に記載のエレベーターのピット内作業装置において、
前記かご側固定部を前記かご側ガイドレールに固定するレールクリップを備えたことを特徴とするエレベーターのピット内作業装置。
【請求項９】
請求項１に記載のエレベーターのピット内作業装置において、
前記固定部は、前記昇降路内に配置されたつり合いおもりを上下方向に案内するおもり側ガイドレールに固定され、前記作業台を支持するおもり側固定部を含むことを特徴とするエレベーターのピット内作業装置。
【発明の詳細な説明】
【技術分野】
【０００１】
本発明は、ガイドレールに固定された固定部に支持された作業台を備えたエレベーターのピット内作業装置に関する。
【背景技術】
【０００２】
この種の従来技術が特許文献１に記載されている。特許文献１にはピット内作業台装置が開示されており、このピット内作業台装置は、昇降路内に配置された乗りかごを上下方向に案内するかご側ガイドレールに固定された第１コ字形ブラケットと、この第１コ字形ブラケットの上に立設された複数の補助ブラケットの上に設けられた作業台とを備えている。また、第１コ字形ブラケットの下方に位置するコンペンプーリのガイドレールに接続されて作業台を支持する複数の別の補助ブラケットも備えている。作業台と複数の補助ブラケットのそれぞれは、また複数の補助ブラケットのそれぞれと第１コ字形ブラケットは複数の接続部を介して接続されている。同様に作業台と複数の別の補助ブラケットのそれぞれも、また複数の別の補助ブラケットのそれぞれとコンペンプーリのガイドレールも複数の接続部を介して接続されている。
【先行技術文献】
【特許文献】
【０００３】
【特許文献１】特開２００５−１３２５６９号公報
【発明の概要】
【発明が解決しようとする課題】
【０００４】
特許文献１に開示された従来技術は、作業台を第１コ字形ブラケットに支持させる補助ブラケット、作業台をコンペンプーリのガイドレールに支持させる複数の別の補助ブラケット、これらの補助ブラケット、別の補助ブラケットに関連する複数の接続部を備えていることから、部材数が多く構造が複雑になって製作費が高くなりやすい。
【０００５】
また、作業台の下側に配置された複数の補助ブラケット、第１コ字形ブラケット、及び複数の別の補助ブラケットによって、昇降路のピット床に近いものの比較的高い位置に作業台が固定支持されていることから、ホール側に、このホール側からの昇降路内の目視が可能なガラス窓等の透明体が設けられているエレベーターにあっては、作業台がホール側から見えてしまう懸念もあった。
【０００６】
上記課題を解決するために、本発明の目的は、部材数が少なくて構造が簡単な、また、非作業時には作業台を昇降路のピット床に載置させることができるエレベーターのピット内作業装置を提供することにある。
【課題を解決するための手段】
【０００７】
上記課題を解決するために、本発明に係るエレベーターのピット内作業装置は、昇降路内に配置されたガイドレールに固定された固定部と、前記固定部に支持された作業台とを備えたエレベーターのピット内作業装置にあって、上端側が乗りかごに係合し下端側が前記作業台に係合し、前記作業台を水平に保った状態で前記乗りかごの上昇に伴って前記作業台を引き上げる牽引体と、前記牽引体と前記乗りかごとを係合させるかご側係合部、及び前記牽引体と前記作業台とを係合させる作業台側係合部とを備え、前記固定部は、当該固定部の下方から上昇する前記作業台に押圧されて後退し、前記作業台の通過後に突出して前記作業台を支持する出入部材を有することを特徴としている。
【発明の効果】
【０００８】
本発明に係るエレベーターのピット内作業装置は、乗りかごの上昇に伴って作業台を引き上げる牽引体と、この牽引体と乗りかごとを係合させるかご側係合部、及び牽引体と作業台とを係合させる作業台側係合部と、作業台を支持する出入部材を有しガイドレールに固定された固定部とを備えた程度の構成であり、従来技術に比べて部材数が少なくて構造を簡単にすることができる。これにより本発明は、従来技術よりも製作費を抑えることができる。また、非作業時には、牽引体と、乗りかご及び作業台との係合を解除することにより、作業台を昇降路のピット床に載置させることができる。これにより本発明は、ホール側にガラス窓等の透明体が設けられているエレベーターにあっても、ホール側から作業台が見えないようにすることができる。前述した以外の課題、構成及び効果は、以下の実施形態の説明により明らかにされる。
【図面の簡単な説明】
【０００９】
【図１】本発明に係るエレベーターのピット内作業装置の一実施形態の作業時の状態を示す側面図である。
【図２】本実施形態に係るエレベーターのピット内作業装置に備えられる作業台と、かご側固定部及びおもり側固定部の配置関係を示す平面図である。
【図３】本実施形態に備えられる棒体と、かご側係合部及び作業台側係合部を示す側面図である。
【図４】本実施形態に備えられたかご側固定部を示す図で、（ａ）図は平面図、（ｂ）図は側面図である。
【図５】非作業時における昇降路内の作業台設置状態を示す側面図である。
【図６】作業開始時の本実施形態の組立状態を示す側面図である。
【発明を実施するための形態】
【００１０】
以下、本発明に係るエレベーターのピット内作業装置の実施の形態を図面に基づいて説明する。
【００１１】
［本実施形態の構成］
図１，２に示すように、本発明の一実施形態に係るエレベーターのピット内作業装置は、昇降路１内に配置された乗りかご２を上下方向に案内するかご側ガイドレール４に固定され、平面視がＬ字形の一対のかご側固定部１０と、乗りかご２と図示しない主ロープを介して連結されたつり合いおもり３を上下方向に案内するおもり側ガイドレール５に固定され、平面視がコ字形のおもり側固定部１１と、かご側固定部１０とおもり側固定部１１に支持され、昇降路１内における各種作業に際して活用される作業台６とを備えている。
【００１２】
本実施形態は、上端側７ａが乗りかご２に係合し、下端側７ｂが作業台６に係合し、作業台６を水平に保った状態で乗りかご２の上昇に伴って作業台６を引き上げる牽引体を備えている。この牽引体は例えば、上下方向に伸長する４本の棒体７から成っている。棒体７の長さ寸法は、昇降路１のピット床１ａからかご側固定部１０及びおもり側固定部１１の取り付け位置、すなわち作業台６の設置位置までの高さ寸法よりも長く設定してある。
【００１３】
また本実施形態は、棒体７と乗りかご２とを係合させる後述のかご側係合部、及び棒体７と作業台６とを係合させる後述の作業台側係合部を備えている。
【００１４】
さらに、前述のかご側固定部１０は、当該かご側固定部１０の下方から上昇する作業台６に押圧されて後退し、作業台６の通過後に突出して作業台６を支持する後述の出入部材１０ｂを備えている。
【００１５】
図２に示すように、作業台６は、乗りかご２の落下時の衝撃を緩和させるバッファ１ｂ（図５に示す）が挿通する２つの第１穴６ａと、４本の棒体７のそれぞれが挿通する４つの第２穴６ｂとを有している。４つの第２穴６ｂのうちの２つの第２穴６ｂは、２つの第１穴６ａのうちの一方の第１穴６ａと、一対のかご側固定部１０のうちの一方の第１穴６ａの側に位置する一方のかご側固定部１０との間に設けてある。また、４つの第２穴６ｂのうちの他の２つの第２穴６ｂは、２つの第１穴６ａのうちの他方の第１穴６ａと、一対のかご側固定部１０のうちの他方の第１穴６ａの側に位置する他方のかご側固定部１０との間に設けてある。
【００１６】
図１に示すように、乗りかご２は下部にベース部材２ａを有している。図３に示すように、ベース部材２ａの下側部分は、棒体７が挿通する第３穴２ａ１を有している。前述したかご側係合部８は、棒体７の上端側７ａに位置する部分と乗りかご２のベース部材２ａとを係合させるものから成っている。なお、前述した作業台側係合部９は、棒体７の下端側７ｂに位置する部分と作業台６とを係合させるものから成っている。
【００１７】
図３に示すように、棒体７は例えば、内部が中空のパイプ材から成っている。かご側係合部８は、棒体７の内部に収納され、乗りかご２のベース部材２ａの下側部分を挟むように配置した一対の第１ばね８ａを有している。また、第１ばね８ａに付勢されて棒体７に設けられた穴部７ｃから突出してベース部材２ａに支持され、第１ばね８ａが押し込まれることにより、当該かご側係合部８がベース部材２ａの第３穴２ａ１を挿通可能となる位置に変位する第１突出部８ｂを有している。
【００１８】
また、かご側係合部８は、棒体７に設けられた穴部７ｅから突出し、ベース部材２ａによる第１突出部８ｂの支持を解除するように第１突出部８ｂを移動、すなわち第１ばね８ａの付勢力に抗して後退させることが可能な第１操作部８ｃを有している。
【００１９】
作業台側係合部９もかご側係合部８と同様に、棒体７の内部に収納され、作業台６を挟むように配置された一対の第２ばね９ａを有している。また、第２ばね９ａに付勢されて棒体７に設けられた穴部７ｄから突出して作業台６を支持し、第２ばね９ａが押し込まれることにより、当該作業台側係合部が作業台６の第２穴６ｂを挿通可能となる位置に変位する第２突出部９ｂとを有している。
【００２０】
また、作業台側係合部９は、棒体７に設けられた穴部７ｆから突出し、第２突出部９ｂによる作業台６の支持を解除するように第２突出部９ｂを移動、すなわち第２ばね９ａの付勢力に抗して後退させることが可能な第２操作部９ｃを有している。
【００２１】
図４（ａ）（ｂ）に示すように、かご側固定部１０は、かご側ガイドレール４にレールクリップ１２によって固定される本体１０ａを有している。この本体１０ａは、作業台６が載置される平板部１０ａ１と、この平板部１０ａ１の下側に連設された立設部１０ａ２とを有している。
【００２２】
かご側固定部１０の出入部材１０ｂは、本体１０ａの立設部１０ａ２に設けられた作業台側穴部１０ａ３から作業台６の方向に突出するものから成っている。出入部材１０ｂは例えば、上端面が水平面に形成され、作業台６に対向する面が湾曲面に形成された張り出し部１０ｂ１を有し、立設部１０ａ２の内部に位置する箇所に、張り出し部１０ｂ１の上端面よりも低い位置となる段差部１０ｂ２を有している。
【００２３】
また、かご側固定部１０は、本体１０ａの立設部１０ａ２の内部の張り出し部１０ｂ１に形成した段差部１０ｂ２の上部空間に配置され、出入部材１０ｂを作業台側穴部１０ａ３から突出するように付勢する第３ばね１０ｃを有している。
【００２４】
図４（ｂ）に示すように、出入部材１０ｂは、作業台６に押圧されて後退した際に、作業台側穴部１０ａ３の反対側の本体１０ａの立設部１０ａ２の壁に形成された開口部１０ａ４から突出するものから成っている。
【００２５】
また、かご側固定部１０は、一端が出入部材１０ｂに連結され、他端が本体１０ａの立設部１０ａ２の開口部１０ａ４が形成された壁に設けられた穴部に移動可能に挿通し、立設部１０ａ２内に収納された第３ばね１０ｃが係着されたねじ棒１０ｄを有している。
【００２６】
開口部１０ａ４が形成された本体１０ａの立設部１０ａ２の壁の穴部から突出したねじ棒１０ｄの部分には、ワッシャ１０ｅを介してねじ棒１０ｄに螺合するナット、例えば手作業による回転が容易な蝶ナット１０ｆを螺合させてある。
【００２７】
また、図４（ｂ）に示すように、かご側固定部１０の本体１０ａは、出入部材１０ｂの上方位置に、出入部材１０ｂを通過した直後の作業台６の上昇を規制するストッパー１０ａ５を有している。
【００２８】
図示しないが、おもり側固定部１１も、本体を除く構成は例えばかご側固定部１０と同等の構成となっている。
【００２９】
［昇降路内作業に際しての本実施形態の組立手順、及び解体手順］
図５に示すように、非作業時にあっては作業台６は、第１穴６ａにバッファ１ｂが挿通した状態で昇降路１のピット床１ａに載置されている。
【００３０】
昇降路１内の各種作業例えば機器の点検作業などに際しては、図６に示すように、４本の棒体７のそれぞれの上端側７ａをかご側係合部８によって乗りかご２のベース部材２ａに係合させ、４本の棒体７のそれぞれの下端側７ｂを作業台側係合部９によって作業台６に係合させる。
【００３１】
また、作業を行うに際しての作業台６の設置位置に対応するかご側ガイドレール４、及びおもり側ガイドレール５の高さ位置に、レールクリップ１２によってかご側固定部１０及びおもり側固定部１１を固定する。
【００３２】
この状態で、乗りかご２を昇降操作する作業者Ａは乗りかご２に乗り込み、昇降路１内で作業を行う作業者Ｂは、作業台６上に乗り込む。
【００３３】
作業者Ａが乗りかご２を上昇操作すると、乗りかご２の上昇に伴って４つの棒体７によって作業台６が牽引されて引き上げられる。
【００３４】
作業台６がかご側固定部１０、おもり側固定部１１の位置に至ると、図４に示すかご側固定部１０の突出していた出入部材１０ｂは作業台６の押圧により第３ばね１０ｃの付勢力に抗して後退し、同時にねじ棒１０ｄが移動し、出入部材１０ｂを作業台６が通過すると、第３ばね１０ｃの付勢力によって出入部材１０ｂが再び作業台６方向に突出する。上昇した作業台６は、かご側固定部１０の本体１０ａに設けたストッパー１０ａ５によってそれ以上の上昇が規制される。これにより作業台６は、出入部材１０ｂとストッパー１０ａ５との間に挟まれた状態で出入部材１０ｂによって支持される。おもり側固定部１１においても同様の動作が行われる。
【００３５】
このようにして図１に示すように、作業台６に乗った作業者Ｂによる昇降路１内の作業が可能な状態となり、所望の機器点検作業が実施される。
【００３６】
作業終了後には、図４に示す蝶ナット１０ｆを回転させてかご側固定部１０の出入部材１０ｂを突出した状態から後退させることにより、出入部材１０ｂによる作業台６の支持が解除される。おもり側固定部１１においても同様に作業台６の支持が解除される。
【００３７】
続いて、棒体７を介して作業台６が昇降路１のピット床１ａに載置されるまで、乗りかご２内の作業者Ａは乗りかご２を下降させる。
【００３８】
作業台６がピット床１ａに載置されたら、例えば作業者Ｂは、図３に示すかご側係合部８の第１操作部８ｃを第１ばね８ａの付勢力に抗して押圧し、この状態で乗りかご２内の作業者Ｂは乗りかご２を上昇させる。これにより、かご側係合部８が乗りかご２のベース部材２ａの第３穴２ａ１から抜け、かご側係合部８による棒体７とベース部材２ａとの係合、すなわちベース部材２ａによる第１突出部８ｂの支持が解除される。
【００３９】
また、作業台側係合部９の第２操作部９ｃを第２ばね９ａの付勢力に抗して押圧し、この状態で棒体７を引き抜く。これにより棒体７と作業台６との係合、すなわち第２突出部９ｂによる作業台６の支持が解除される。
【００４０】
このようにして前述した図６に示したように、作業台６は昇降路１のピット床１ａに載置された状態となる。取り外した４本の棒体７は、ピット床１ａに載置スペースが存在する場合には、ピット床１ａに載置してもよい。
【００４１】
例えばその後レールクリップ１２を緩め、かご側ガイドレール４から一対のかご側固定部１０を取り外し、おもり側ガイドレール５からおもり側固定部１１を取り外す。これにより本実施形態の解体は終了する。
【００４２】
このように構成した本実施形態は、乗りかご２の上昇に伴って作業台６を引き上げる４本の棒体７と、これらの棒体７と乗りかご２のベース部材２ａとを係合させるかご側係合部８、及び棒体７と作業台６とを係合させる作業台側係合部９と、作業台６を支持する出入部材１０ｂを有し、かご側ガイドレール４に固定されたかご側固定部１０、及びおもり側ガイドレール５に固定されたおもり側固定部１１とを備えた程度の構成であり、部材数が少なくて構造を簡単にすることができる。これにより本実施形態は製作費を抑えることができる。
【００４３】
また、非作業時には、４本の棒体７と、乗りかご２及び作業台６との係合を解除することにより、図５に示したように作業台６を昇降路１のピット床１ａに載置させることができる。これにより本実施形態は、ホール側にガラス窓等の透明体が設けられているエレベーターにあっても、ホール側から作業台６が見えないようにすることができる。
【００４４】
なお、前述した実施形態にあっては、乗りかご２の上昇に伴って作業台６を引き上げる牽引体を棒体７によって構成し、棒体７に第１ばね８ａ、第１突出部８ｂ、第１操作部８ｃを有するかご側係合部８、及び第２ばね９ａ、第２突出部９ｂ、第２操作部９ｃを有する作業台側係合部９を設けた構成にしてあるが、本発明は、このように棒体７、及びかご側係合部８、作業台側係合部９を備えた構成には限定されない。
【００４５】
例えば牽引体をワイヤーによって構成し、かご側係合部を、ワイヤーの一端に連結され、例えば乗りかご２のベース部材２ａに形成された穴部に係合するフックによって構成し、作業台側係合部を、ワイヤーの他端に連結され、例えば作業台６に形成された穴部に係合する別のフックによって構成してもよい。このように構成したものも前述した実施形態と同様の作用効果が得られる。
【００４６】
本発明は前述した実施形態に限定されず、本発明の要旨を逸脱しない範囲で種々の変形が可能であり、特許請求の範囲に記載された技術思想に含まれる技術的事項の全てが本発明の対象となる。前述した実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００４７】
１・・昇降路、１ａ・・ピット床、１ｂ・・バッファ、２・・乗りかご、２ａ・・ベース部材、２ａ１・・第３穴、３・・つり合いおもり、４・・かご側ガイドレール、５・・おもり側ガイドレール、６・・作業台、６ａ・・第１穴、６ｂ・・第２穴、７・・棒体（牽引体）、７ａ・・上端側、７ｂ・・下端側、７ｃ，７ｄ，７ｅ，７ｆ・・穴部、８・・かご側係合部、８ａ・・第１ばね、８ｂ・・第１突出部、８ｃ・・第１操作部、９・・作業台側係合部、９ａ・・第２ばね、９ｂ・・第２突出部、９ｃ・・第２操作部、１０・・かご側固定部、１０ａ・・本体、１０ａ１・・平板部、１０ａ２・・立設部、１０ａ３・・作業台側穴部、１０ａ４・・開口部、１０ａ５・・ストッパー、１０ｂ・・出入部材、１０ｂ１・・張り出し部、１０ｂ２・・段差部、１０ｃ・・第３ばね、１０ｄ・・ねじ棒、１０ｅ・・ワッシャ、１０ｆ・・蝶ナット、１１・・おもり側固定部、１２・・レールクリップ、Ａ，Ｂ・・作業者
【図１】
2017171455.tif 000003
【図２】
2017171455.tif 000004
【図３】
2017171455.tif 000005
【図４】
2017171455.tif 000006
【図５】
2017171455.tif 000007
【図６】
2017171455.tif 000008